(57)【要約】【課題】  各容器を囲繞するために設けられたループのアレイを有するキャリアを含む飲料用ビンおよび缶等の容器用パッケージ。【解決手段】  スリーブがキャリアにより保持される容器群を囲繞する。キャリアは、キャリアを破断しかつ容器を個別に解放するためのミシン目、スリット、および脆弱リンクを含む。スリーブは、容器を解放するときにキャリアの分離部のスリーブからの引っ張りを可能にする分離線を含む。【選択図】      図７
2004168426.tif 000002
【特許請求の範囲】
【請求項１】
列で保持される個別容器から成る一群の容器のためのパッケージであって、
各容器に対して一つのループを形成する相互に連結された伸縮自在の複数のループから成る容器保持部を含む一体的プラスチック・キャリア、および
一群の容器を囲繞する伸縮自在材料によるスリーブを含み、
前記ループの各々は個別容器のそれぞれを囲繞し、
前記容器保持部は前記ループに沿って延在するマージン部を有し、
前記マージン部は前記キャリアにより保持される容器を個別的に解放するために引き裂き可能に構成され、かつ
前記スリーブは前記マージン部の引き裂き時に分離する分離線を有する、容器用パッケージ。
【請求項２】
前記マージン部は、タブ、および前記マージンに沿って連続配置されたミシン目による複数の線を形成し、前記ミシン目による複数の線の一つは各前記ループに向かって延在する、請求項１の容器用パッケージ。
【請求項３】
前記スリーブは孔を形成し、かつ前記タブは前記孔から外方へ突出している、請求項２の容器用パッケージ。
【請求項４】
前記分離線は前記孔から始まり、かつ前記スリーブ内の離隔した孔である、請求項３の容器用パッケージ。
【請求項５】
前記キャリアは二列のループ、および各前記列に沿った分離のマージン部を有する、請求項１の容器用パッケージ。
【請求項６】
各前記マージン部は、タブ、および前記マージンに沿って連続配置されたミシン目による複数の線を形成し、前記ミシン目による複数の線の一つは各前記ループに向かって延在する、請求項５の容器用パッケージ。
【請求項７】
前記スリーブは二つの孔、および前記孔の各々から外方へ突出したもう一つのタブを有する、請求項６の容器用パッケージ。
【請求項８】
前記スリーブは二つの分離線を有し、前記分離線の一つは前記マージン部の各々に連結されている、請求項７の容器用パッケージ。
【請求項９】
各前記分離線は前記孔の一つから始まり、かつ各前記分離線は前記スリーブにおいて離隔した孔である、請求項８の容器用パッケージ。
【請求項１０】
複数のループを含むキャリア、
各前記ループ内に各々が設置かつ固定される一群の容器、
一群の容器を個別に解放するために引き裂くことのできる前記ループに隣接した外マージン部、および
一群の容器を囲繞するスリーブであって、前記スリーブから前記外マージン部を引っ張るために漸次的に分離するように構成されたスリーブを含む、容器用パッケージ。
【請求項１１】
前記スリーブは不連続のミシン目の分離線を有する、請求項１０の容器用パッケージ。
【請求項１２】
前記外マージン部はタブを有し、前記スリーブは前記分離線に隣接した孔を形成し、かつ前記タブは前記孔から突出している、請求項１１の容器用パッケージ。
【請求項１３】
一群の容器は第一および第二列を含み、前記キャリアは二つの外マージン部を含み、かつ前記スリーブは前記外マージン部の前記スリーブからの引っ張りを可能にするために分離を促進するように構成されている、請求項１０の容器用パッケージ。
【請求項１４】
前記スリーブは不連続のミシン目による二つの分離線を有する、請求項１３の容器用パッケージ。
【請求項１５】
各前記外マージン部はタブを有し、前記スリーブは二つの孔を形成し、異なる孔が各前記分離線に隣接し、かつ各前記タブが異なる前記孔から突出している、請求項１４の容器用パッケージ。
【請求項１６】
前記外マージン部は、前記外マージン部を引き裂くことのできるミシン目線を有する、請求項１０の容器用パッケージ。
【請求項１７】
前記外マージン部は、隣接する前記ミシン目線間にスリット、および前記スリットと前記ミシン目線間に脆弱リンクを含む、請求項１６の容器用パッケージ。
【請求項１８】
各容器を囲繞するためのループを形成する伸縮自在のプラスチックによるキャリアに保持される一群の容器のためのスリーブであって、
前記キャリアは容器を個別的に解放するために引き裂くことのできる構成であり、
前記スリーブは一群の容器を囲繞するための伸縮自在材料によるバンド、および前記バンドから前記キャリアの一部の引っ張り可能にする分離線を前記バンド内に有する、容器用スリーブ。
【請求項１９】
前記バンドは孔を含み、前記分離線は前記孔から始まるミシン目線を含む、請求項１８の容器用スリーブ。
【請求項２０】
前記バンドは二つの孔を含み、かつ前記分離線はそれぞれ別々に前記孔から始まるミシン目線を含む、請求項１９の容器用スリーブ。
【発明の詳細な説明】
【技術分野】
【０００１】
本発明は容器群のためのパッケージに関し、かつ更に詳細には、個別容器と係合しかつ保持するためのループのアレイを有するプラスチックのキャリア、および容器群を囲繞するスリーブを含む容器パッケージの開放機構に関する。
【背景技術】
【０００２】
容器キャリアはビンまたは缶等の複数の容器を便宜的に販売可能な量に単位化するためにしばしば使用される。ペーパーボードまたはプラスチックの両方が材料として通常使用される。ペーパーボードのキャリアは概ね箱を構成し、容器はその箱内に保持される。箱は全体的に封鎖されるか、または開放上部を有し、各容器用の個別区画室を有する。ペーパーボード・キャリアの欠点は過剰材料および費用を含む。更に、一旦開放した後には、封鎖箱は容器を確実に保持しなくなる。開放上部を有するキャリアはその収容物を零す可能性がある。
【０００３】
プラスチック・キャリアはその性能、軽量、低価格、および異なる寸法および形状の容器に構成できる汎用性から広範囲に容認されている。プラスチック・キャリアの一般的設計は、伸縮自在プラスチック材料に孔を含む。孔は保持されるビンまたは缶等の容器の周辺で伸縮するような寸法および形状に形成される。キャリアにより保持される一群の容器の運搬を便利にするために、種々のタイプのハンドグリップが既知である。自動化された機械が伸縮自在プラスチック・キャリアを容器に迅速かつ効率的に取り付けるために利用可能である。
【０００４】
かかる既知設計の一つとして、キャリアは相互に並設されたプラスチック材料による二つのウエブから形成される。ハンドル部および容器係合部は並設されたウエブから同時に型打ちにより形成される。二つのウエブは選択された部に沿って積層等に融合または溶接される。結果としてハンドル部は二重厚の材料により、かつ容器係合部はキャリアの残部から各側部で自由に懸垂する。
【０００５】
このタイプのプラスチック・キャリアの幾つかに伴う問題は、容器をキャリアから解放することである。容器の一つを容器が保持されている孔から取り出すまたは捩じることは困難であり、かつ容器の突然の解放は隣接する容器を衝突させ、所望容器以外の容器を解放させる。
【０００６】
各容器を個別に解放する解放機構を有し、他方で容器を固定維持する容器キャリアがＵＳＰ５，６４２，８００から既知である。本出願人によるこの特許は、分離容器を別々に保持するための複数の孔を有するキャリアを教示する。キャリアの外マージン部は一連のミシン目線およびスリットを含み、このミシン目線およびスリットにと沿って外マージン部は引き裂かれる。スリットは破壊可能リンク領域によってミシン目線から間隔を置き、引き裂き力を一つの完全に引き裂いたミシン目線から次の隣接する引き裂き前のミシン目線へ方向転換させる。マージン部のミシン目線に沿った引き裂きは、一つの第一容器を解放し、全部の容器を解放するまで継続的に次々と他の容器を解放する。
【０００７】
飲料産業は、より多くの数量の容器をグループ化して販売する傾向にある。
【０００８】
ビンであるか缶であるかを問わずプラスチック・キャリアのアレイに伸縮自在リングによってのみ固定された多量の容器の一群は、不安定感があり、個別容器が相互に対して曲がったり捩れたりしやすい。六個パックのように少量の容器の場合であっても、運搬中に容器が捩じれたり曲がったりするので不安定感がある。
【０００９】
同時継続出願中の本出願人による名称"Container Package With Carrier And Surrounding Sleeve"において、プラスチック・キャリアはリングのアレイを有し、各容器に一つのリングを含み、かつその容器群を囲繞しかつ固定するための伸縮自在スリーブを含む。上述の開放機構を有するキャリアが使用される場合には、キャリア・アレイがスリーブ内に入れ子式に重ねられるので解放機構を操作することは困難であり、かつスリーブはキャリアの引き裂き特性を阻害する。
【００１０】
当分野において容易かつ便利な開放機能を有する安定性の高い容器パッケージが必要とされている。
【００１１】
【特許文献１】ＵＳＰ５，６４２，８００
【発明の開示】
【発明が解決しようとする課題】
【００１２】
従って、本発明は容易かつ便利な開放機能を有する安定性の高い容器パッケージを提供することを課題とする。
【課題を解決するための手段】
【００１３】
本発明は各容器に対して一つのリングを有するリングのアレイ、および一群の容器を囲繞しかつ固定するための伸縮自在スリーブを含むプラスチック製キャリアを提供する。前記キャリアは、容器を解放するための引き裂き線を備えた外マージン部を有し、かつ前記スリーブは前記キャリアが引き裂かれるにつれて徐々に開放する分離線を有する。
【００１４】
一形態として、本発明は、列で保持される個別容器から成る一群の容器のためのパッケージを提供する。前記容器用パッケージは、各容器に対して一つのループを形成する相互に連結された伸縮自在の複数のループから成る容器保持部を含む一体的プラスチック・キャリアを有する。前記ループの各々は個別容器のそれぞれを囲繞する。前記容器保持部は前記ループに沿って延在するマージン部を有し、前記マージン部は前記キャリアにより保持される容器を個別に解放するために引き裂き可能に構成されている。伸縮自在材料によるスリーブが一群の容器を囲繞し、かつ前記スリーブは前記マージン部の引き裂き時に分離する分離線を有する。
【００１５】
好適形態において、前記マージン部は、タブ、および前記マージン部に沿って連続配置されたミシン目による複数の線を形成し、前記ミシン目による複数の線の一つは各前記ループに向かって延在する。
【００１６】
好適形態において、前記スリーブは孔を形成し、かつ前記タブは前記孔から外方へ突出している。
【００１７】
好適形態において、前記分離線は前記孔から始まり、かつ前記スリーブ内の離隔した孔である。
【００１８】
好適形態において、前記キャリアは二列のループ、および各前記列に沿った分離のマージン部を有する。
【００１９】
好適形態において、各前記マージン部は、タブ、および前記マージン部に沿って連続配置されたミシン目による複数の線を形成し、前記ミシン目による複数の線の一つは各前記ループに向かって延在する。
【００２０】
好適形態において、前記スリーブは二つの孔、および前記孔の各々から外方へ突出したもう一つのタブを有する。
【００２１】
好適形態において、前記スリーブは二つの分離線を有し、前記分離線の一つは前記マージン部の各々に連結されている。
【００２２】
好適形態において、各前記分離線は前記孔の一つから始まり、かつ各前記分離線は前記スリーブにおいて離隔した孔である。
【００２３】
他の形態において、本発明は、複数のループを含むキャリア、各前記ループ内に各々が設置かつ固定される一群の容器、一群の容器を個別に解放するために引き裂くことのできる前記ループに隣接した外マージン部、および一群の容器を囲繞するスリーブであって、前記スリーブから前記外マージン部を引っ張るために漸次的に分離するように構成されたスリーブを含む、容器用パッケージを提供する。
【００２４】
好適形態において、前記スリーブは不連続のミシン目の分離線を有する。
【００２５】
好適形態において、前記外マージン部はタブを有し、前記スリーブは前記分離線に隣接した孔を形成し、かつ前記タブは前記孔から突出している。
【００２６】
好適形態において、一群の容器は第一および第二列を含み、前記キャリアは二つの外マージン部を含み、かつ前記スリーブは前記外マージン部の前記スリーブからの引っ張りを可能にするために分離を促進するように構成されている。
【００２７】
好適形態において、前記スリーブは不連続のミシン目による二つの分離線を有する。
【００２８】
好適形態において、各前記外マージン部はタブを有し、前記スリーブは二つの孔を形成し、異なる孔が各前記分離線に隣接し、かつ各前記タブが異なる前記孔から突出している。
【００２９】
好適形態において、前記外マージン部は、前記外マージン部を引き裂くことのできるミシン目線を有する。
【００３０】
好適形態において、前記外マージン部は、隣接する前記ミシン目線間にスリット、および前記スリットと前記ミシン目線間に脆弱リンクを含む。
【００３１】
更に他の形態として、本発明は、各容器を囲繞するためのループを形成する伸縮自在のプラスチックによるキャリアに保持される一群の容器のためのスリーブを提供する。前記キャリアは容器を個別的に解放するために引き裂くことのできる構成であり、前記スリーブは一群の容器を囲繞するための伸縮自在材料によるバンド、および前記バンドから前記キャリアの一部の引っ張りを可能にする分離線を前記バンド内に有する。
【００３２】
好適形態において、前記バンドは孔を含み、前記分離線は前記孔から始まるミシン目線を含む。
【００３３】
好適形態において、前記バンドは二つの孔を含み、かつ前記分離線はそれぞれ別々に前記孔から始まるミシン目線を含む。
【発明の効果】
【００３４】
本発明の利点は、安定状態で個別容器を保持し、他方で全容器よりも少ない数の容器の選択的解放を可能にするパッケージを提供することである。
【００３５】
本発明の他の利点は、容器の個別解放機能の操作に関する視覚的指示を表示した容器パッケージを提供できることである。
【００３６】
本発明の他の特徴および利点は続く詳細な説明、特許請求の範囲、および図面を検討することにより当業者に理解されるであろう。
【発明を実施するための最良の形態】
【００３７】
本発明の実施形態を詳細に説明する前に、本発明は続く説明または図面の記載における構成要素の詳細な構成および配置に制限されないことを理解されたい。本発明は他の形態であってよく、かつ種々の方法で実用化または実施できる。更に、ここで使用される表現および用語は説明を目的とするものであり、制限的に解釈されるべきでない。「有する」、「成る」および「含む」の用語、およびその類似語は以下に使用される用語および均等の用語ならびに付加的用語およびその均等の用語を意味する。同様番号は同様機能、機構または特徴を示すために使用されている。
【００３８】
以下、添付図面を参照して本発明による実施形態を説明する。特に図１を参照すると、本発明による容器パッケージ１０が示されている。このパッケージ１０はキャリア１２およびスリーブ１４を含む。図示例において、パッケージ１０は所謂六個パック用に提供され、かつ複数の個別容器１６を一群１８の容器１６に包装するために示されている。ただし、本発明は図示六個パックよりも少ないまたは多い容器１６を包装するために有利に使用できる。更に、パッケージ１０はビン形態の個別容器１６を包装するために示されているが、パッケージ１０はビン以外の容器１６を包装するために使用できる。例えば、パッケージ１０は缶、および他の形状のビンを包装するために使用できる。図７は図１と異なる形状の容器１６を仮想線により示す。
【００３９】
図２および４を参照すると、キャリア１２の両側が示されている。キャリア１２はハンドル・サスペンション部もしくはハンドル部２０および容器保持部２２を含む。キャリア１２の形態はキャリア１２に保持する容器の寸法、連結部プおよび性質により変化してよい。図示されたような六個パックを保持するキャリア１２の好適設計において、キャリア１２は相互に並列の第一シート２６（図２）および第二シート２８（図４）を有する二層構造である。第一シート２６および第二シート２８は一つまたはそれ以上の溶接、図面に示されたような二つの溶接３０および３２により連結される。かかる溶接は当分野に周知の方法で行なうことができ、シートを共に融合できる材料の、第一シート２６と第二シート２８間への塗布または押し出しを含む。図示されたように、溶接３０および３２はそれぞれハンドル部２０の上部近くおよび容器保持部２２の近くに形成される。付加的溶接がその間に設けられてよい。ハンドル部２０および容器保持部２２は各シート２６および２８の一体部として形成される。溶接３０，３２は第一シート２６および第二シート２８を、単一の一体的キャリア１２を形成するように、結合する。
【００４０】
ハンドル部２０は各第一シート２６および第二シート２８に形成された複数の筋交い３４，３６および３８を含む二重厚層であり、それぞれ第一筋交い３４および第二筋交い３６を含みかつ複数の中間筋交い３８を含む。ハンドル部２０は、更に、第一シート２６および第二シート２８の二重層を通して形成されたハンドル開口部４０を含む。連結部４２はキャリア１２をフラットに維持するために製造時にハンドル開口部４０の上下部を相互に連結する。連結部４２は、パッケージ１０が持ち上げられるときにミシン目線４４に沿って容易に崩壊し、ハンドル部２０へのアクセスを容易にして使用を快適にする。
【００４１】
容器保持部２２はハンドル部２０の概ね下に個別ループ５２，５４，５６，５８，６０および６２のアレイ５０を含む。当業者に理解されるように、ループ５２，５４，５６，５８，６０および６２の各々は単一層の材料で形成され、ループ５２，５４および５６を含む第一列６４は、第一シート２６に形成され、かつ第二列６６はループ５８，６０および６２を含み、第二シート２８に形成される。
【００４２】
各ループ５２，５４，５６，５８，６０および６２は伸縮自在に構成され、かつ全体として個別容器１６を囲繞する。第一シート２６および第二シート２８の材料は可撓性かつ弾性であり、破壊することなく相当な伸縮を可能にする。低密度ポリエチレンがキャリア１２の形成に適した材料である。
【００４３】
第一シート２６は外マージン部６８を有し、外マージン部６８はループ５２，５４および５６に沿って延在し、かつ第二シート２８はループ５８，６０および６２に沿って延在する外マージン部７０を有する。外マージン部６８および７０は一端にそれぞれタブ７２および７４を形成している。図示形態において、タブ７２および７４はキャリア１２の同一端に形成される。タブ７２および７４は消費者による把持のために設けられ、かつ消費者による把持を容易にするためにそれぞれ孔７６および７８を形成してよい。
【００４４】
ミシン目８０，８２および８４（図２）の線は、それぞれループ５２，５４および５６に向かって傾斜したマージン部６８に形成される。細長いスリット９０がミシン目８２近くからミシン目８２へ延び、かつ細長いスリット９２はミシン目８０近くからミシン目８４近くへ延びている。ミシン目８０，８２および８４は各々連続して相対的に短い間隔を置いてシート２６を切断したカットであり、それに沿って第一シート２６は引き裂くことができる。スリット９０および９２は連続的に細長く第一シート２６を切断したカットである。ミシン目８０はタブ７２の丁度上方でキャリア１２のエッジ９６からループ５２の内方へ向かって延びている。ミシン目８２はスリット９０近くからループ５４の内部へ向かって延びている。ミシン目８４はスリット９２近くからループ５６の内部へ向かって延びている。脆弱リンク９８および１００がミシン目８０とスリット９０間、およびスリット９０とミシン目８２間にそれぞれ設けられている。脆弱リンク１０２および１０４はミシン目８２とスリット９２間、およびスリット９２とミシン目８４間にそれぞれ設けられている。
【００４５】
ミシン目１１０，１１２，および１１４の線（図４）は、それぞれループ５８，６０および６２に向かって傾斜した外マージン部７０に設けられている。細長いスリット１２０がミシン目１１０近くからミシン目１１２近くへ延び、細長いスリット１２２がミシン目１１２近くからミシン目１１４近くまで延びている。ミシン目１１０，１１２および１１４は各々相対的に短い間隔を置いて第二シート２８を切断した一連のカットであり、第二シート２８はそれに沿って引き裂くことができる。スリット１２０および１２２は第二シート２８を切断した連続的な細長いカットである。ミシン目１１０はタブ７４の直ぐ上方でキャリア１２のエッジ１２６からループ５９８の内部へ向かって延びている。ミシン目１１２はスリット１２０の近くかループ６０の内部へ向かって延在する。ミシン目１１４はスリット１２２近くからループ６２の内部へ向かって延在する。脆弱リンク１２８および１３０はミシン目１１０とスリット１２０間、およびスリット１２０とミシン目１１２間にそれぞれ設けられている。脆弱リンク１３２および１３４はミシン目１１２とスリット１２２間、およびスリット１２２とミシン目１１４間にそれぞれ設けられている。
【００４６】
図１を特に参照すると、スリーブ１４はキャリア１２により保持される容器１６の一群１８の周辺を囲繞するエンドレスバンドとして形成される。スリーブ１４は上エッジ１４０および下エッジ１４２を有し、開放上部１４４および開放下部１４６を有する。容器１６は開放上部１４２および開放下部１４６をそれぞれ通って上エッジ１４０の上方および下エッジ１４２の下方へ伸長する。有利には、スリーブ１４は、情報を表示する大きなビルボード領域を提供すると共にパッケージ１０の安定性を高めるために、上エッジ１４０と下エッジ１４２間に実質的高さを有する。スリーブ１４は伸縮性材料の細片から、シーム１４８で細片の両端を結合することにより、エンドレスバンドに形成される。
【００４７】
パッケージの好適構造において、アレイ５０はスリーブ１４内に形成される。即ち、ループ５２，５４，５６，５８，６０および６２は上エッジ１４０および下エッジ１４２のレベル間の容器１６上の位置で容器１６と係合する。個別容器１６の解放を促進するために、スリーブ１４は孔１５０および１５２を有し、分離線１５４および１５６がそこから延びている（図３および５に最良に示されている）。孔１５０および１５２はタブ７２および７４と整列し、タブ７２および７４が孔１５０および１５２からそれぞれ外方へ突出するようになっていて、消費者による容易把持を可能にする。分離線１５４および１５６はそれぞれ孔１５０および１５２から始まってスリーブ１４に沿って、それぞれ概ねマージン部６８および７０と同一線上に延びている。分離線１５４および１５６は間隔を置いたミシン目を有し、タブ７２および７４が解放手順時に引っ張られる時にスリーブ１４内でスリーブ１４の破断を相対的に容易にする。これについては詳細に後述する。
【００４８】
パッケージ１０を使用するための意図された手順において、スリーブ１４はキャリア１２を個別容器１６へ取り付けた後に適用される。スリーブ１４は容器１６の一群１８を囲繞するために伸張し、かつキャリア１２のアレイ５０を被覆するためにそのまわりに位置決めされる。一群１８を形成するための個別容器１６へのキャリア１２の適用および一群１８のまわりへのスリーブ１４の設置は、当分野に既知の自動装置により実施される。
【００４９】
スリーブ１４は一群１８を安定化し、個別容器１６が一群１８内で他の容器１６に対して捩れたり歪んだりする程度を最小限にする。キャリア１２とスリーブ１４の共働的連結はパッケージに堅固、安定感を付与し、パッケージを運搬する消費者の快適と信頼を増す。
【００５０】
図７は仮想線によりビンとして図示された個別容器１６が容器パッケージ１０から解放される方法を示す。孔１５０から突出するタブ７２（図６に拡大説明図として示されている）はマージン部６８の引き裂きを開始するために把持されかつ引っ張られる。相対的にスムースな表面を有するスリーブ１４から外方へ突出したタブ７２および７４は開放特性の存在およびその使用法の強力な視覚端緒、即ち、手がかりを提供する。しかし、付加的スリーブ１４は指示を印刷するための領域を提供し、これはタブ７２および７４を引っ張る方向を示す孔１５０および１５２に隣接する矢印等簡単なものであってよい。
【００５１】
タブ７２が引っ張られるときに、マージン部６８は、ループ５２が破断するまでミシン目８０に沿って引き裂かれる。引き裂きがミシン目８０に沿って進むにつれて外マージン部６８の分離長はスリーブ１４から引っ張られ、分離線１５４に沿ってそこから破壊する。
【００５２】
第二容器１６は第一容器１６の解放に続いて連続的または一定時間で解放される。タブ７２を引っ張り続け、脆弱リンク９８を破壊し、スリット９０を開放し、かつ脆弱リンク１００を解放する。マージン部６８は、ループ５４が破断するまでミシン目８２に沿って引き裂かれ、そして第二容器が解放される。外マージン部６８の付加的分離長が分離線１５４の更に他の長手から破壊することによりスリーブ１４から引っ張られる。
【００５３】
第三容器１６を更に解放するために、タブ７２を更に引っ張り、脆弱リンク１０２を破壊し、スリット９２を開放し、かつ脆弱リンク１０４を破壊する。マージン部６８はミシン目８４に沿って引き裂かれ、ループ５６を破断し、第三容器１６を解放する。外マージン部６８の付加的長手が分離されるときに、スリーブ１４内の分離線が更に破壊される。
【００５４】
ループ５８，６０および６２内に保持された容器１６を解放するために、同様な手続きを連続的に行い、ループ５８，６０および６２を連続的に破断する。マージン部７０はループ５８を破断するためにミシン目１１０に沿って引き裂かれる。脆弱リンク１２８および１３０が破壊され、かつマージン部７０がループ６０を破断するためにミシン目１１２に沿って引き裂かれる。脆弱リンク１３２および１３４は破壊され、かつマージン部７０がループ６２を破断するためにミシン目１１４に沿って引き裂かれる。外マージン部７０の長手が分離されるときに、スリーブ１４内の分離線１５６が破壊されて、必要により外マージン部７０の引き離しを可能にし、脆弱リンクを破壊しかつループ５８，６０および６２をマージン部７０を引き裂くことにより破断する。
【００５５】
図示好適形態において、外マージン部６８および７０の分離長は、最後の容器１６が各側から解放されるまでキャリア１２に取り付けたままにする。選択的に、付加的ミシン目、脆弱リンク１５８、１６０等がマージン部６８および７０にそれぞれ設けられてよく、マージン部６８および７０のセグメントの完全除去および廃棄を可能にする。
【００５６】
本発明はキャリア内に保持される容器を安定させるために包囲バンドを、単一容器または連続的複数の容器の解放を促進するためにキャリアおよびバンドを共働するように連結して、提供することにより安定性を改良する。
【００５７】
本発明の範囲には上記形態の種々の変更および改良が含まれる。本発明は本明細書および図面に記載されまたはそこから明かな個別特徴の二つまたはそれ以上のあらゆる選択的組み合わせに及ぶと理解されている。異なる組み合わせは本発明の他の特徴を構成する。上記実施形態は本発明を実施するための最良の形態を説明するものであり、当業者による本発明の実施を可能にする。特許請求の範囲は従来技術により許容される範囲まで他の形態を含むと理解されるべきである。本発明の種々の特徴は特許請求の範囲に記載されている。
【図面の簡単な説明】
【００５８】
【図１】本発明による容器パッケージの斜視図である。
【図２】図１の容器パッケージのキャリアの拡大平面図である。
【図３】図１のスリーブの立面図である。
【図４】図１のキャリアの拡大平面図であって、図２の反対側を示す。
【図５】スリーブの立面図であって、図３に示された側と反対側を示す。
【図６】図１の容器パッケージの一部の拡大斜視図である。
【図７】仮想線により示された図１と異なる容器を備えた容器パッケージの斜視図であって、一側の容器を解放するために引き裂かれたパッケージを示す。
【符号の説明】
【００５９】
１０…容器パッケージまたはパッケージ
１２…キャリア
１４…スリーブ
２０…ハンドル・サスペンション部またはハンドル部
２２…容器保持部
２６…第一シート
２８…第二シート
３０，３２…溶接
５２，５４，５６，５８，６０，６２…ループ
６４…第一列
６６…第二列
６８，７０…マージン部
７２，７４…タブ
７６，７８…孔
８０，８２，８４…ミシン目
９０，９２…スリット
１５４，１５６…分離線
【図１】
2004168426.tif 000003
【図２】
2004168426.tif 000004
【図３】
2004168426.tif 000005
【図４】
2004168426.tif 000006
【図５】
2004168426.tif 000007
【図６】
2004168426.tif 000008
【図７】
2004168426.tif 000009